(57)【要約】【課題】ライブビュー画像の拡大表示をしている場合における、ユーザの操作性を向上することができる撮像装置を提供する。【解決手段】本発明の撮像装置は、画像を撮像する撮像手段と、撮像手段が撮像したライブビュー画像の全ての範囲である全画面画像を表示する表示手段と、表示手段が表示する画像をライブビュー画像の一部の範囲である拡大画像と全画面画像とで切り替える表示制御手段と、表示手段に対する操作以外の操作である所定の操作に応じて、第１状態であれば撮像手段の設定パラメータを決定する第１設定をし、第２状態であればライブビュー画像の所定の範囲を決定する第２設定をする制御手段とを有し、表示手段が拡大画像を表示している場合に、所定の操作がされると、表示制御手段は全画面画像に切り替えず、制御手段は、第１状態であれば第１設定を行い、第２状態であれば第２設定を行うことを特徴とする。【選択図】図５
2020014053.tif 000002
【特許請求の範囲】
【請求項１】
画像を撮像する撮像手段と、
前記撮像手段が撮像したライブビュー画像の全ての範囲である全画面画像を表示する表示手段と、
前記表示手段が表示する画像を、前記ライブビュー画像の一部の範囲である拡大画像と前記全画面画像とで切り替える表示制御手段と、
前記表示手段に対する操作以外の操作である所定の操作に応じて、第１状態であれば前記撮像手段の設定パラメータを決定する第１設定をし、第２状態であれば前記ライブビュー画像の所定の範囲を決定する第２設定をする制御手段と、
を有し、
前記表示手段が前記拡大画像を表示している場合に、前記所定の操作がされると、
前記表示制御手段は、前記表示手段が表示する画像を前記全画面画像に切り替えず、
前記制御手段は、
前記第１状態であれば前記第１設定を行い、
前記第２状態であれば前記第２設定を行う、
ことを特徴とする撮像装置。
【請求項２】
前記第１状態とは、前記設定パラメータを設定する操作を受け付ける操作部を、前記表示手段がさらに表示する状態であり、
前記第２状態とは、前記表示手段が前記操作部を表示しない状態である、
ことを特徴とする請求項１に記載の撮像装置。
【請求項３】
前記制御手段は、前記第１設定として、露出の設定パラメータを決定する、
ことを特徴とする請求項１または請求項２に記載の撮像装置。
【請求項４】
前記制御手段は、前記第２設定として、焦点検出の範囲を決定する、
ことを特徴とする請求項１から３のいずれか１項に記載の撮像装置。
【請求項５】
前記所定の操作は、ダイヤル操作を受け付ける操作部材である第１操作部材に対する操作を含む、
ことを特徴とする請求項１から４のいずれか１項に記載の撮像装置。
【請求項６】
前記所定の操作は、前記第１操作部材とは異なる第２操作部材に対する操作を含み、
前記制御手段は、前記第２状態であれば、前記第１操作部材に対する操作に応じた場合よりも、前記第２操作部材に対する操作に応じた場合の方が、細かい単位で前記第２設定を行う、
ことを特徴とする請求項５に記載の撮像装置。
【請求項７】
前記第２操作部材は、４方向キーであり、
前記４方向キーのそれぞれのボタンに対応する設定は、ユーザが予め任意に決定できる、
ことを特徴とする請求項６に記載の撮像装置。
【請求項８】
前記制御手段は、前記表示手段に対する操作に応じて、
前記第１状態および前記第２状態のいずれの場合にも、前記第２設定をすることができる、
ことを特徴とする請求項１から７のいずれか１項に記載の撮像装置。
【請求項９】
画像を撮像する撮像手段と、前記撮像手段が撮像したライブビュー画像の全ての範囲で
ある全画面画像を表示する表示手段と、を有する撮像装置の制御方法であって、
前記表示手段が表示する画像を、前記ライブビュー画像の一部の範囲である拡大画像と前記全画面画像とで切り替える表示制御工程と、
前記表示手段に対する操作以外の操作である所定の操作に応じて、第１状態であれば前記撮像手段の設定パラメータを決定する第１設定をし、第２状態であれば前記ライブビュー画像の所定の範囲を決定する第２設定をする制御工程と、
を有し、
前記表示手段が前記拡大画像を表示している場合に、前記所定の操作がされると、
前記表示制御工程では、前記表示手段が表示する画像を前記全画面画像に切り替えず、
前記制御工程では、
前記第１状態であれば前記第１設定を行い、
前記第２状態であれば前記第２設定を行う、
ことを特徴とする撮像装置の制御方法。
【請求項１０】
コンピュータを請求項１から８のいずれか１項に記載の撮像装置の各手段として機能させるプログラム。
【発明の詳細な説明】
【技術分野】
【０００１】
本発明は撮像装置、および撮像装置の制御方法、プログラムに関する。
【背景技術】
【０００２】
従来、デジタルカメラなど搭載される表示部である電子ビューファインダやＴＦＴ（Ｔｈｉｎ  Ｆｉｌｍ  Ｔｒａｎｓｉｓｔｏｒ）液晶にライブビュー画像（被写体像）を拡大表示した状態で、ユーザは当該デジタルカメラを用いて撮影を行うことが可能である。そのため、ユーザは、被写体に対するピントの確認などをおこない易く、意図した動画や写真を撮影することできる。
【０００３】
また、このような、ライブビュー画像の拡大表示をしている状態において、ユーザの操作性を向上させる技術として、特許文献１がある。特許文献１には、ライブビュー画像の拡大表示中に拡大範囲の位置の変更指示がされると、ライブビュー画像の拡大表示状態を維持したまま拡大範囲を移動させる撮像装置が記載されている。
【先行技術文献】
【特許文献】
【０００４】
【特許文献１】特開２００８−２１１６３０号公報
【発明の概要】
【発明が解決しようとする課題】
【０００５】
しかし、特許文献１の撮像装置において変更することが可能であるのは、ライブビュー画像の拡大範囲の位置であり、ライブビュー画像の拡大表示中には、露出やＩＳＯ感度などの撮影パラメータ（設定パラメータ）の設定はできない。よって、従来では、ユーザは、ライブビュー画像の拡大表示中には、一度、拡大表示を解除（中断）してから、撮影パラメータを設定する必要があったため、ライブビュー画像の拡大表示中のユーザの操作性が悪いという課題があった。
【０００６】
したがって、本発明は、ライブビュー画像の拡大表示をしている場合における、ユーザの操作性を向上することのできる撮像装置を提供することを目的とする。
【課題を解決するための手段】
【０００７】
本発明の第１の態様は、
画像を撮像する撮像手段と、
前記撮像手段が撮像したライブビュー画像の全ての範囲である全画面画像を表示する表示手段と、
前記表示手段が表示する画像を、前記ライブビュー画像の一部の範囲である拡大画像と前記全画面画像とで切り替える表示制御手段と、
前記表示手段に対する操作以外の操作である所定の操作に応じて、第１状態であれば前記撮像手段の設定パラメータを決定する第１設定をし、第２状態であれば前記ライブビュー画像の所定の範囲を決定する第２設定をする制御手段と、
を有し、
前記表示手段が前記拡大画像を表示している場合に、前記所定の操作がされると、
前記表示制御手段は、前記表示手段が表示する画像を前記全画面画像に切り替えず、
前記制御手段は、
前記第１状態であれば前記第１設定を行い、
前記第２状態であれば前記第２設定を行う、
ことを特徴とする撮像装置である。
【０００８】
本発明の第２の態様は、
画像を撮像する撮像手段と、前記撮像手段が撮像したライブビュー画像の全ての範囲である全画面画像を表示する表示手段と、を有する撮像装置の制御方法であって、
前記表示手段が表示する画像を、前記ライブビュー画像の一部の範囲である拡大画像と前記全画面画像とで切り替える表示制御工程と、
前記表示手段に対する操作以外の操作である所定の操作に応じて、第１状態であれば前記撮像手段の設定パラメータを決定する第１設定をし、第２状態であれば前記ライブビュー画像の所定の範囲を決定する第２設定をする制御工程と、
を有し、
前記表示手段が前記拡大画像を表示している場合に、前記所定の操作がされると、
前記表示制御工程では、前記表示手段が表示する画像を前記全画面画像に切り替えず、
前記制御工程では、
前記第１状態であれば前記第１設定を行い、
前記第２状態であれば前記第２設定を行う、
ことを特徴とする撮像装置の制御方法である。
【発明の効果】
【０００９】
本発明によれば、ライブビュー画像の拡大表示をしている場合における、ユーザの操作性を向上することができる。
【図面の簡単な説明】
【００１０】
【図１】実施形態１に係るデジタルカメラの外観図
【図２】実施形態１に係るデジタルカメラの構成図
【図３】実施形態１に係るデジタルカメラの状態を示す図
【図４】実施形態１に係るデジタルカメラの状態に応じた画面表示例
【図５】実施形態１に係るユーザ操作に応じた処理を示す図
【図６Ａ】実施形態１に係る撮影処理のフローチャート
【図６Ｂ】実施形態１に係る撮影処理のフローチャート
【図７】実施形態１に係るユーザ操作に応じた処理を示すフローチャート
【図８】変形例１に係るデジタルカメラの状態を示す図
【発明を実施するための形態】
【００１１】
＜実施形態１＞
［デジタルカメラ１００の外観図］
以下、図面を参照して本発明の好適な実施形態を説明する。図１Ａ，１Ｂに、本発明を適用可能な装置の一例としてのデジタルカメラ１００の外観図を示す。図１Ａはデジタルカメラ１００の前面斜視図であり、図１Ｂはデジタルカメラ１００の背面斜視図である。
【００１２】
表示部２８は、デジタルカメラ１００の背面に設けられた表示部であり、画像や各種情報を表示する。タッチパネル７０ａは、表示部２８の表示面（タッチ操作面）に対するタッチ操作を検出することができる。ファインダー外表示部４３は、デジタルカメラ１００の上面に設けられた表示部であり、シャッター速度や絞りをはじめとするデジタルカメラ１００の様々な設定値を表示する。シャッターボタン６１は撮影指示を行うための操作部材である。モード切替スイッチ６０は、各種モードを切り替えるための操作部材である。端子カバー４０は、デジタルカメラ１００を外部機器に接続する接続ケーブル等とのコネクタ（不図示）を保護するカバーである。
【００１３】
メイン電子ダイヤル７１は回転操作部材であり、メイン電子ダイヤル７１を回すことで、シャッター速度や絞りなどの設定値の変更等が行える。電源スイッチ７２は、デジタルカメラ１００の電源のＯＮとＯＦＦを切り替える操作部材である。サブ電子ダイヤル７３は回転操作部材であり、サブ電子ダイヤル７３を回すことで、選択枠（カーソル）の移動や画像送りなどが行える。４方向キー７４は、上、下、左、右部分をそれぞれ押し込み可能に構成され、４方向キー７４の押した部分に応じた処理が可能である。ＳＥＴボタン７５は、押しボタンであり、主に選択項目の決定などに用いられる。
【００１４】
動画ボタン７６は、動画撮影（記録）の開始や停止の指示に用いられる。ＡＥロックボタン７７は押しボタンであり、撮影待機状態でＡＥロックボタン７７を押下することにより、露出状態を固定することができる。拡大ボタン７８は、撮影モードのライブビュー表示（ＬＶ表示）において拡大モードのＯＮとＯＦＦを切り替えるための操作ボタンである。拡大モードをＯＮとしてからメイン電子ダイヤル７１を操作することにより、ライブビュー画像（ＬＶ画像）の拡大や縮小を行える。再生モードにおいては、拡大ボタン７８は、再生画像を拡大したり、その拡大率を増加させるたりするための操作ボタンとして機能する。再生ボタン７９は、撮影モードと再生モードとを切り替えるための操作ボタンである。撮影モード中に再生ボタン７９を押下することで再生モードに移行し、記録媒体２００（後述）に記録された画像のうち最新の画像を表示部２８に表示させることができる。メニューボタン８１はメニュー画面を表示させる指示操作を行うために用いられる押しボタンであり、メニューボタン８１が押されると各種の設定が可能なメニュー画面が表示部２８に表示される。ユーザは、表示部２８に表示されたメニュー画面と、４方向キー７４やＳＥＴボタン７５とを用いて直感的に各種設定を行うことができる。
【００１５】
タッチバー８２（マルチファンクションバー：Ｍ−Ｆｎバー）は、タッチ操作を受け付けることが可能なライン状のタッチ操作部材（ラインタッチセンサー）である。タッチバー８２は、通常の握り方（メーカー推奨の握り方）でグリップ部９０を握った右手の親指でタッチ操作可能（タッチ可能）な位置に配置されている。タッチバー８２は、タッチバー８２に対するタップ操作（タッチして所定期間以内に移動せずに離す操作）、左右へのスライド操作（タッチした後、タッチしたままタッチ位置を移動する操作）などを受け付け可能な受付部である。タッチバー８２は、タッチパネル７０ａとは異なる操作部材であり、表示機能を備えていない。
【００１６】
通信端子１０は、デジタルカメラ１００がレンズユニット１５０（後述；着脱可能）側と通信を行うための通信端子である。接眼部１６は、接眼ファインダー１７（覗き込み型のファインダー）の接眼部であり、ユーザは、接眼部１６を介して内部のＥＶＦ２９（後述）に表示された映像を視認することができる。接眼検知部５７は、接眼部１６にユーザ（撮影者）が接眼しているか否かを検知する接眼検知センサーである。蓋２０２は、記録媒体２００（後述）を格納するスロットの蓋である。グリップ部９０は、ユーザがデジタルカメラ１００を構える際に右手で握りやすい形状とした保持部である。グリップ部９０を右手の小指、薬指、中指で握ってデジタルカメラ１００を保持した状態で、右手の人差指で操作可能な位置にシャッターボタン６１とメイン電子ダイヤル７１が配置されている。また、同じ状態で、右手の親指で操作可能な位置に、サブ電子ダイヤル７３とタッチバー８２が配置されている。サムレスト部９１（親指待機位置）は、デジタルカメラ１００の背面側の、どの操作部材も操作しない状態でグリップ部９０を握った右手の親指を置きやすい箇所に設けられたグリップ部材である。サムレスト部９１は、保持力（グリップ感）を高めるためのラバー部材などで構成される。
【００１７】
［デジタルカメラ１００の構成ブロック図］
図２は、デジタルカメラ１００の構成例を示すブロック図である。レンズユニット１５０は、交換可能な撮影レンズを搭載するレンズユニットである。レンズ１０３は通常、複
数枚のレンズから構成されるが、図２では簡略して一枚のレンズのみで示している。通信端子６は、レンズユニット１５０がデジタルカメラ１００側と通信を行うための通信端子であり、通信端子１０は、デジタルカメラ１００がレンズユニット１５０側と通信を行うための通信端子である。レンズユニット１５０は、これら通信端子６，１０を介してシステム制御部５０と通信する。そして、レンズユニット１５０は、内部のレンズシステム制御回路４によって絞り駆動回路２を介して絞り１の制御を行う。また、レンズユニット１５０は、レンズシステム制御回路４によってＡＦ駆動回路３を介してレンズ１０３の位置を変位させることで焦点を合わせる。
【００１８】
シャッター１０１は、システム制御部５０の制御で撮像部２２の露光時間を自由に制御できるフォーカルプレーンシャッターである。
【００１９】
撮像部２２は、光学像を電気信号に変換するＣＣＤやＣＭＯＳ素子等で構成される撮像素子である。撮像部２２は、システム制御部５０にデフォーカス量情報を出力する撮像面位相差センサーを有していてもよい。Ａ／Ｄ変換器２３は、撮像部２２から出力されるアナログ信号をデジタル信号に変換する。
【００２０】
画像処理部２４は、Ａ／Ｄ変換器２３からのデータ、又は、メモリ制御部１５からのデータに対し所定の処理（画素補間、縮小といったリサイズ処理、色変換処理、等）を行う。また、画像処理部２４は、撮像した画像データを用いて所定の演算処理を行い、システム制御部５０は、画像処理部２４により得られた演算結果に基づいて露光制御や測距制御を行う。これにより、ＴＴＬ（スルー・ザ・レンズ）方式のＡＦ（オートフォーカス）処理、ＡＥ（自動露出）処理、ＥＦ（フラッシュプリ発光）処理、等が行われる。画像処理部２４は更に、撮像した画像データを用いて所定の演算処理を行い、得られた演算結果に基づいてＴＴＬ方式のＡＷＢ（オートホワイトバランス）処理を行う。
【００２１】
Ａ／Ｄ変換器２３からの出力データは、画像処理部２４及びメモリ制御部１５を介してメモリ３２に書き込まれる。あるいは、Ａ／Ｄ変換器２３からの出力データは、画像処理部２４を介さずにメモリ制御部１５を介してメモリ３２に書き込まれる。メモリ３２は、撮像部２２によって得られＡ／Ｄ変換器２３によりデジタルデータに変換された画像データや、表示部２８やＥＶＦ２９に表示するための画像データを格納する。メモリ３２は、所定枚数の静止画像や所定時間の動画像および音声を格納するのに十分な記憶容量を備えている。
【００２２】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８やＥＶＦ２９に供給する。こうして、メモリ３２に書き込まれた表示用の画像データはＤ／Ａ変換器１９を介して表示部２８やＥＶＦ２９により表示される。表示部２８とＥＶＦ２９のそれぞれは、ＬＣＤや有機ＥＬ等の表示器上で、Ｄ／Ａ変換器１９からのアナログ信号に応じた表示を行う。Ａ／Ｄ変換器２３によってＡ／Ｄ変換されメモリ３２に蓄積されたデジタル信号をＤ／Ａ変換器１９においてアナログ信号に変換し、表示部２８またはＥＶＦ２９に逐次転送して表示することで、ライブビュー表示（ＬＶ）が行える。以下、ライブビュー表示で表示される画像をライブビュー画像（ＬＶ画像）と称する。
【００２３】
ファインダー外表示部４３には、ファインダー外表示部駆動回路４４を介して、シャッター速度や絞りをはじめとするカメラの様々な設定値が表示される。
【００２４】
不揮発性メモリ５６は、電気的に消去・記録可能なメモリであり、例えばＥＥＰＲＯＭ等である。不揮発性メモリ５６には、システム制御部５０の動作用の定数、プログラム等が記録される。ここでいうプログラムとは、本実施形態にて後述する各種フローチャート
を実行するためのプログラムのことである。
【００２５】
システム制御部５０は、少なくとも１つのプロセッサーまたは回路からなる制御部であり、デジタルカメラ１００全体を制御する。システム制御部５０は、前述した不揮発性メモリ５６に記録されたプログラムを実行することで、後述する本実施形態の各処理を実現する。システムメモリ５２は例えばＲＡＭであり、システム制御部５０は、システム制御部５０の動作用の定数、変数、不揮発性メモリ５６から読み出したプログラム等をシステムメモリ５２に展開する。また、システム制御部５０は、メモリ３２、Ｄ／Ａ変換器１９、表示部２８等を制御することにより表示制御も行う。
【００２６】
システムタイマー５３は、各種制御に用いる時間や、内蔵された時計の時間を計測する計時部である。
【００２７】
電源制御部８０は、電池検出回路、ＤＣ−ＤＣコンバータ、通電するブロックを切り替えるスイッチ回路等により構成され、電池の装着の有無、電池の種類、電池残量の検出などを行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００２８】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２９】
通信部５４は、無線または有線ケーブルによって接続された外部機器との間で、映像信号や音声信号の送受信を行う。通信部５４は無線ＬＡＮ（Ｌｏｃａｌ  Ａｒｅａ  Ｎｅｔｗｏｒｋ）やインターネットとも接続可能である。また、通信部５４は、Ｂｌｕｅｔｏｏｔｈ（登録商標）やＢｌｕｅｔｏｏｔｈ  Ｌｏｗ  Ｅｎｅｒｇｙでも外部機器と通信可能である。通信部５４は撮像部２２で撮像した画像（ＬＶ画像を含む）や、記録媒体２００に記録された画像を送信可能であり、外部機器から画像データやその他の各種情報を受信することができる。
【００３０】
姿勢検知部５５は、重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像であるかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサーやジャイロセンサーなどを用いることができる。姿勢検知部５５である加速度センサーやジャイロセンサーを用いて、デジタルカメラ１００の動き（パン、チルト、持ち上げ、静止しているか否か等）を検知することも可能である。
【００３１】
接眼検知部５７は、接眼ファインダー１７（以後、単に「ファインダー」と記載する）の接眼部１６に対する目（物体）の接近（接眼）および離反（離眼）を検知する（接近検知）、接眼検知センサーである。システム制御部５０は、接眼検知部５７で検知された状態に応じて、表示部２８とＥＶＦ２９の表示（表示状態）／非表示（非表示状態）を切り替える。より具体的には、少なくとも撮影待機状態で、かつ、表示先の切替が自動切替である場合において、非接眼中は表示先を表示部２８として表示をオンとし、ＥＶＦ２９は非表示とする。また、接眼中は表示先をＥＶＦ２９として表示をオンとし、表示部２８は非表示とする。接眼検知部５７としては、例えば赤外線近接センサーを用いることができ
、ＥＶＦ２９を内蔵するファインダー１７の接眼部１６への何らかの物体の接近を検知することができる。物体が接近した場合は、接眼検知部５７の投光部（図示せず）から投光した赤外線が物体で反射して赤外線近接センサーの受光部（図示せず）で受光される。受光された赤外線の量によって、物体が接眼部１６からどの距離まで近づいているか（接眼距離）も判別することができる。このように、接眼検知部５７は、接眼部１６への物体の近接距離を検知する接眼検知を行う。非接眼状態（非接近状態）から、接眼部１６に対して所定距離以内に近づく物体が検出された場合に、接眼されたと検出するものとする。接眼状態（接近状態）から、接近を検知していた物体が所定距離以上離れた場合に、離眼されたと検出するものとする。接眼を検出する閾値と、離眼を検出する閾値は例えばヒステリシスを設けるなどして異なっていてもよい。また、接眼を検出した後は、離眼を検出するまでは接眼状態であるものとする。離眼を検出した後は、接眼を検出するまでは非接眼状態であるものとする。なお、赤外線近接センサーは一例であって、接眼検知部５７には、接眼とみなせる目や物体の接近を検知できるものであれば他のセンサーを採用してもよい。
【００３２】
操作部７０は、ユーザからの操作（ユーザ操作）を受け付ける入力部であり、システム制御部５０に各種の動作指示を入力するために使用される。図２に示すように、操作部７０は、モード切替スイッチ６０、シャッターボタン６１、電源スイッチ７２、タッチパネル７０ａ、タッチバー８２、等を含む。また、操作部７０は、その他の操作部材７０ｂとして、メイン電子ダイヤル７１、サブ電子ダイヤル７３、４方向キー７４、ＳＥＴボタン７５、動画ボタン７６、ＡＥロックボタン７７、拡大ボタン７８、再生ボタン７９、メニューボタン８１、等を含む。
【００３３】
モード切替スイッチ６０は、システム制御部５０の動作モードを静止画撮影モード、動画撮影モード、再生モード等のいずれかに切り替える。静止画撮影モードに含まれるモードとして、オート撮影モード、オートシーン判別モード、マニュアルモード、絞り優先モード（Ａｖモード）、シャッター速度優先モード（Ｔｖモード）、プログラムＡＥモード（Ｐモード）がある。また、撮影シーン別の撮影設定となる各種シーンモード、カスタムモード等がある。モード切替スイッチ６０より、ユーザは、これらのモードのいずれかに直接切り替えることができる。あるいは、モード切替スイッチ６０で撮影モードの一覧画面に一旦切り替えた後に、表示された複数のモードのいずれかに、他の操作部材を用いて選択的に切り替えるようにしてもよい。同様に、動画撮影モードにも複数のモードが含まれていてもよい。
【００３４】
シャッターボタン６１は、第１シャッタースイッチ６２と第２シャッタースイッチ６４を備える。第１シャッタースイッチ６２は、シャッターボタン６１の操作途中、いわゆる半押し（撮影準備指示）でＯＮとなり第１シャッタースイッチ信号ＳＷ１を発生する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の撮影準備動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから、撮像された画像を画像ファイルとして記録媒体２００に書き込むまでの、一連の撮影処理の動作を開始する。
【００３５】
タッチパネル７０ａと表示部２８とは一体的に構成することができる。例えば、タッチパネル７０ａは、光の透過率が表示部２８の表示を妨げないように構成され、表示部２８の表示面の上層に取り付けられる。そして、タッチパネル７０ａにおける入力座標と、表示部２８の表示面上の表示座標とを対応付ける。これにより、あたかもユーザが表示部２８上に表示された画面を直接的に操作可能であるかのようなＧＵＩ（グラフィカルユーザ
インターフェース）を提供できる。システム制御部５０は、タッチパネル７０ａへの以下の操作、あるいは状態を検出できる。
【００３６】
・タッチパネル７０ａにタッチしていなかった指やペンが新たにタッチパネル７０ａにタッチしたこと、すなわちタッチの開始（以下、タッチダウン（Ｔｏｕｃｈ−Ｄｏｗｎ）と称する）
・タッチパネル７０ａを指やペンでタッチしている状態（以下、タッチオン（Ｔｏｕｃｈ−Ｏｎ）と称する）
・指やペンがタッチパネル７０ａをタッチしたまま移動していること（以下、タッチムーブ（Ｔｏｕｃｈ−Ｍｏｖｅ）と称する）
・タッチパネル７０ａへタッチしていた指やペンがタッチパネル７０ａから離れた（リリースされた）こと、すなわちタッチの終了（以下、タッチアップ（Ｔｏｕｃｈ−Ｕｐ）と称する）
・タッチパネル７０ａに何もタッチしていない状態（以下、タッチオフ（Ｔｏｕｃｈ−Ｏｆｆ）と称する）
【００３７】
タッチダウンが検出されると、同時にタッチオンも検出される。タッチダウンの後、タッチアップが検出されない限りは、通常はタッチオンが検出され続ける。タッチムーブが検出された場合も、同時にタッチオンが検出される。タッチオンが検出されていても、タッチ位置が移動していなければタッチムーブは検出されない。タッチしていた全ての指やペンがタッチアップしたことが検出された後は、タッチオフとなる。
【００３８】
これらの操作・状態や、タッチパネル７０ａ上に指やペンがタッチしている位置座標は内部バスを通じてシステム制御部５０に通知される。そして、システム制御部５０は通知された情報に基づいてタッチパネル７０ａ上にどのような操作（タッチ操作）が行なわれたかを判定する。タッチムーブについてはタッチパネル７０ａ上で移動する指やペンの移動方向についても、位置座標の変化に基づいて、タッチパネル７０ａ上の垂直成分・水平成分毎に判定できる。所定距離以上をタッチムーブしたことが検出された場合はスライド操作が行なわれたと判定するものとする。タッチパネル７０ａ上に指をタッチしたままある程度の距離だけ素早く動かして、そのまま離すといった操作をフリックと呼ぶ。フリックは、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。更に、複数箇所（例えば２点）を共にタッチして（マルチタッチして）、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。タッチパネル７０ａは、抵抗膜方式や静電容量方式、表面弾性波方式、赤外線方式、電磁誘導方式、画像認識方式、光センサー方式等、様々な方式のタッチパネルのうちいずれの方式のものであってもよい。タッチパネルに対する接触があったことでタッチがあったと検出する方式や、タッチパネルに対する指やペンの接近があったことでタッチがあったと検出する方式があるが、いずれの方式でもよい。
【００３９】
［デジタルカメラの状態について］
本実施形態に係る撮像装置であるデジタルカメラ１００は、ライブビュー画像が表示部２８に拡大表示されている場合においても、撮影のための露出などの設定を行うための状態（第１状態）であれば、拡大表示を解除することなく当該露出の設定が可能である。また、デジタルカメラ１００は、ライブビュー画像が表示部２８に拡大表示されている場合においても、オートフォーカス（ＡＦ）の対象範囲の設定を行うための状態（第２状態）であれば、拡大表示を解除することなく当該対象範囲の設定を可能とする。これによれば
、ライブビュー画像の拡大表示中においても、デジタルカメラ１００の状態に応じて、撮影のための露出などの撮影パラメータ（設定パラメータ）の設定が可能であるため、ユーザの操作性が向上する。
【００４０】
なお、ライブビュー画像とは、システム制御部５０が撮像部２２を制御することで生成される、撮影（撮像）対象とする被写体の現在を表示する画像である。また、露出とは、デジタルカメラ１００が取り込む光の量を示す。なお、本実施形態では、撮像装置としてデジタルカメラを用いているが、ライブビュー画像の取得が可能であれば、スマートフォンやタブレット端末、ＰＣ、デジタルカメラなどを制御する制御装置などであってもよい。
【００４１】
このようにデジタルカメラ１００の状態によって実施可能な設定が変わるため、以下では、まず、図３Ａを用いて、本実施形態に係るデジタルカメラ１００の状態について説明する。本実施形態に係るデジタルカメラ１００の状態は、２種類の設定状態と３種類の拡大状態とによって、６つの状態に分類することができる。
【００４２】
具体的には、設定状態は、「通常」と「枠設定」の２つの状態を含む。設定状態が「通常」である場合は主に露出や撮影に関する設定パラメータ（設定値）を設定（決定）することができ、「枠設定」である場合は主にＡＦ枠や拡大枠の設定（決定）をすることができる。また、拡大状態は、表示部２８にライブビュー画像の全ての範囲（全画面画像）を表示する「全画面（等倍）」、ライブビュー画像を５倍に拡大して表示する「拡大×５」、ライブビュー画像を１０倍に拡大して表示する「拡大×１０」の３つの状態を含む。つまり、拡大状態が「拡大×５」または「拡大×１０」である場合は、ライブビュー画像の一部の範囲（拡大画像）が表示部２８に表示される。また、ＡＦ枠とは、オートフォーカスが行われている測距範囲（点）を示す枠である。拡大枠とは、拡大表示中の焦点検出の範囲を示すＡＦ枠である。
【００４３】
なお、本実施形態では、拡大倍率を５倍または１０倍としているが、デジタルカメラ１００の機種によっては変更できる拡大倍率が異なるため、任意の拡大倍率でよい。また、本実施形態では、デジタルカメラ１００は、５倍と１０倍との複数の拡大倍率にすることが可能であるが、例えば、５倍のみの単一の拡大倍率に変更可能であってもよい。
【００４４】
また、以降、上述のデジタルカメラ１００における６つの状態を以下のように対応させて、状態Ａ〜状態Ｆというように称して説明する。
・状態Ａは、設定状態が「通常」であり、拡大状態が「全画面」である。
・状態Ｂは、設定状態が「通常」であり、拡大状態が「拡大×５」である。
・状態Ｃは、設定状態が「通常」であり、拡大状態が「拡大×１０」である。
・状態Ｄは、設定状態が「枠設定」であり、拡大状態が「全画面」である。
・状態Ｅは、設定状態が「枠設定」であり、拡大状態が「拡大×５」である。
・状態Ｆは、設定状態が「枠設定」であり、拡大状態が「拡大×１０」である。
【００４５】
［各状態における表示部での表示例について］
以下では、上述の状態Ａ〜状態Ｆのそれぞれの状態において、表示部２８に表示される画面（画像）の例を図４を用いて説明する。図４Ａ〜図４Ｆはそれぞれ状態Ａ〜状態Ｆに対応する表示部２８（タッチパネル７０ａ）における画面例（表示例）を示した図である。表示部２８（タッチパネル７０ａ）は、状態Ａおよび状態Ｄでは、ＡＦ枠３０１を有し、状態Ｂおよび状態Ｃ、状態Ｅ、状態Ｆでは拡大枠３０７および拡大インジケータ３１１を有する。また、タッチパネル７０ａは、状態Ａ〜状態Ｃでは、主に露出を設定するためのタッチボタンとして、タッチボタン３０２〜タッチボタン３０６を有する。タッチパネル７０ａは、状態Ｄ〜状態Ｆでは、タッチボタン３０８〜タッチボタン３１０を有する。
なお、これらのタッチボタンはユーザからの操作を受け付けるため、操作部であるともいえる。
【００４６】
ＡＦ枠３０１は、焦点検出（オートフォーカス対象）の範囲を示す枠である。
タッチボタン３０２は、拡大倍率（拡大状態）を変更する際にタッチ（タップ）されるボタンである。
タッチボタン３０３は、露出の設定の１つであるシャッタースピード（Ｔｖ値）を変更する際にタッチ（タップ）されるボタンである。
タッチボタン３０４は、露出の設定の１つである絞り値（Ａｖ値）を変更する際にタッチ（タップ）されるボタンである。
タッチボタン３０５は、露出を補正（設定）する補正値を変更する際にタッチ（タップ）されるボタンである。
タッチボタン３０６は、ＩＳＯ感度の値を変更する際にタッチ（タップ）されるボタンである。
【００４７】
拡大枠３０７は、拡大中の焦点検出の範囲を示すＡＦ枠である。
タッチボタン３０８は、ライブビュー画像の中央にＡＦ枠を配置する際にタッチ（タップ）されるボタンである。
タッチボタン３０９は、拡大倍率（拡大状態）を変更する際にタッチ（タップ）されるボタンである。
タッチボタン３１０は、デジタルカメラ１００の設定状態を「枠設定」から「通常」に変更する際にタッチ（タップ）されるボタンである。
拡大インジケータ３１１は、撮影される画像に対して、表示部２８に拡大表示されている領域を示す。具体的には、拡大インジケータ３１１における、外周枠は撮影される画像の全領域を示し、黒塗りされている領域は現在拡大している位置と大きさを示している。なお、拡大倍率は拡大インジケータ３１１の上にも表示されるが、ファインダー外表示部４３にも表示される。
【００４８】
なお、本実施形態では、デジタルカメラ１００の設定状態を「通常」から「枠設定」に変更する操作はタッチパネル７０ａ以外の操作部７０に対する操作が行われることで実施されるものとする。しかし、それに限定されずに、状態Ａにおいて、デジタルカメラ１００の設定状態を「通常」から「枠設定」に変更するためのタッチボタンをタッチパネル７０ａが有していてもよいし、ユーザがＡＦ枠３０１をタップすることで当該変更がされてもよい。また、上述より、デジタルカメラ１００の設定状態が「通常」である状態（第１状態）とは、図４Ａ〜図４Ｃのように、表示部２８に露出を設定するためのタッチボタンが表示されている状態であるといえる。一方、デジタルカメラ１００の設定状態が「枠設定」である状態（第２状態）とは、図４Ｄ〜図４Ｆのように、表示部２８に露出を設定するためのタッチボタンが表示されていない状態であるといえる。
【００４９】
［各状態の状態遷移について］
以下では、本実施形態に係るデジタルカメラ１００の操作部７０に対する操作に応じた状態遷移について、図３Ｂを用いて説明する。
【００５０】
状態Ａにおいて、操作部７０に対してライブビュー画像の拡大倍率を変更する操作（拡大操作）が行われると状態Ｂに遷移する。なお、本実施形態では、拡大操作が行われると、システム制御部５０は、拡大状態を「全画面」であれば「拡大×５」に変更し、「拡大×５」であれば「拡大×１０」に変更し、「拡大×１０」であれば「全画面」に変更する。しかし、これに限らず、システム制御部５０は、ユーザ操作に応じて任意の拡大状態に変更できるようにしてもよい。
【００５１】
状態Ａにおいて、操作部７０に対して、設定状態を「枠設定」にする操作が行われると状態Ｄに遷移する。
状態Ｂにおいて、操作部７０に対して、拡大操作が行われると状態Ｃに遷移する。
状態Ｃにおいて、操作部７０に対して、拡大操作が行われると状態Ａに遷移する。
状態Ｂと状態Ｃにおいて、操作部７０に対して、設定状態を「通常」にして、かつ拡大状態を「全画面」にする操作（初期設定にする操作）が行われると状態Ａに遷移する。
【００５２】
状態Ｄにおいて、操作部７０に対して、拡大操作が行われると状態Ｅに遷移する。
状態Ｄにおいて、操作部７０に対して、設定状態を「通常」にする操作が行われると状態Ａに遷移する。
状態Ｅにおいて、操作部７０に対して、拡大操作が行われると状態Ｆに遷移する。
状態Ｆにおいて、操作部７０に対して、拡大操作が行われると状態Ｄに遷移する。
状態Ｄ、状態Ｅ、状態Ｆにおいて、操作部７０に対して、設定状態を「通常」にして、かつ拡大状態を「全画面」にする操作（初期設定にする操作）が行われると状態Ａに遷移する。
【００５３】
［操作部に対する操作に応じた処理について］
以下では、デジタルカメラ１００が状態Ａ〜状態Ｆのそれぞれにおいて、操作部７０それぞれに対する操作に応じて、システム制御部５０が実施する処理について図５を用いて説明する。
【００５４】
状態Ａ〜状態Ｃにおいては、下記のように、システム制御部５０は、主に、５つの操作それぞれに応じた処理を行う。
・メイン電子ダイヤル７１やサブ電子ダイヤル７３のダイヤルを回転させるユーザ操作（ダイヤル操作）によって、システム制御部５０は、Ｔｖ値やＡｖ値といった設定値などを変更することにより露出の設定を行う。
・４方向キー７４に対するユーザ操作によって、システム制御部５０は、４方向キー７４（十字ボタン）それぞれのボタンに割り当てられた処理（設定）を実行する。
・タッチパネル７０ａが有するＡＦ枠や拡大枠に対するタッチ操作によって、システム制御部５０は、枠位置の移動する処理を実行する。
・タッチパネル７０ａが有するタッチボタンに対するタップ操作によって、システム制御部５０は、上述のようにそれぞれのタッチパネルに割り当てられた処理を実行する。
・上述の４つ以外の操作によって、システム制御部５０は当該操作に応じた処理を実行する。
【００５５】
状態Ｄ〜状態Ｆにおいては、下記のように、システム制御部５０は、主に、５つの操作それぞれに応じた処理を行う。
・メイン電子ダイヤル７１やサブ電子ダイヤル７３に対するダイヤル操作によって、システム制御部５０は、枠位置の移動する処理（設定）を第１の粒度で実行する。
・４方向キー７４に対するユーザ操作によって、システム制御部５０は、システム制御部５０は、第１の粒度より細かい粒度で枠位置の移動する処理（設定）を実行する。
・タッチパネル７０ａが有するＡＦ枠や拡大枠に対するタッチ操作によって、システム制御部５０は、枠位置の移動する処理を実行する。
・タッチパネル７０ａが有するタッチボタンに対するタップ操作によって、システム制御部５０は、上述のようにそれぞれのタッチパネルに割り当てられた処理を実行する。
・上述の４つ以外の操作によって、システム制御部５０は当該操作に応じた処理を実行する。
【００５６】
なお、タッチ操作に対応する枠位置の移動処理は、タッチパネル７０ａに対するスライドに応じたものなどであってもよいし、タッチパネル７０ａのＡＦ枠をタップした後にＡ
Ｆ枠とは異なる位置をタップすることで、ＡＦ枠が当該位置に移動されてもよい。つまり、タッチ操作に対応する枠位置の移動処理は、タッチパネル７０ａに対するタッチが伴う操作であれば、任意の操作に応じて行われてよい。なお、メイン電子ダイヤル７１やサブ電子ダイヤル７３に対するダイヤル操作によって変更可能であるのは、露出に限らず、ＩＳＯ設定値、Ｆ値など任意の撮影を行うための設定パラメータでもよい。
【００５７】
上述のように、メイン電子ダイヤル７１やサブ電子ダイヤル７３に対するダイヤル操作と４方向キー７４に対するユーザ操作との２つの操作に応じてシステム制御部５０が実行する処理は、デジタルカメラ１００の設定状態によって異なる。従って、ユーザは表示部２８に拡大されたライブビュー画像が表示されている場合においても、デジタルカメラ１００の設定状態に応じた設定を行うことができる。また、デジタルカメラ１００の設定状態が「通常」である場合にはタッチパネル７０ａを用いずに、ユーザは、露出の設定をすることも可能であり、ＡＦ枠や拡大枠の移動についても実施可能である。従って、デジタルカメラ１００の設定状態が「通常」であれば、設定状態を「枠移動」に遷移させることなく、ユーザはＡＦ枠や拡大枠の移動をすることができる。このように、本実施形態では、システム制御部５０は、露出の設定やＡＦ枠の移動を行う制御手段であり、かつ、ライブビュー画像の拡大表示または全画面表示を切り替える表示制御手段であるといえる。なお、上述のように、タッチパネル７０ａに対するタッチ操作によっては、設定状態が「通常」と「枠移動」のいずれの状態においても、システム制御部５０はＡＦ枠（拡大枠）の移動を行うことができる。
【００５８】
また、上述より、デジタルカメラ１００の設定状態が「通常」である状態（第１状態）とは、表示部２８（タッチパネル７０ａ）に対する操作以外で露出が設定できる状態であるといえる。一方、デジタルカメラ１００の設定状態が「枠設定」である状態（第２状態）とは、表示部２８（タッチパネル７０ａ）に対する操作以外でＡＦ枠の移動（設定）ができる状態であるといえる。
【００５９】
［撮影処理について］
図６Ａおよび図６Ｂは、本実施形態に係るデジタルカメラ１００がおこなう被写体の撮影処理が終了するまでの一連の処理を示すフローチャートである。図６Ａは、状態ＡにおけるＳ１００１〜Ｓ１０１１の処理と、状態Ｂまたは状態ＣにおけるＳ２００１〜Ｓ２０１２の処理を示している。図６Ｂは、状態ＤにおけるＳ３００１〜Ｓ３０１１の処理と、状態Ｅまたは状態ＦにおけるＳ４００１〜Ｓ４０１４の処理を示している。なお、図６Ａおよび図６Ｂが示すフローチャートにおける各処理は、システム制御部５０が不揮発性メモリ５６に格納されたプログラムをシステムメモリ５２に展開して実行することにより実現される。なお、これらの処理はデジタルカメラ１００の電源が入り、表示部２８にライブビュー画像を表示した状態に遷移すると開始する。
【００６０】
（状態Ａにおける処理について）
Ｓ１００１では、システム制御部５０は、デジタルカメラ１００の設定状態を「通常」にする。
Ｓ１００２では、システム制御部５０は、拡大状態を「全画面」にして、表示部２８にライブビュー画像を全画面で表示する。
【００６１】
Ｓ１００３では、システム制御部５０は、操作部７０に対して設定状態を「枠設定」にする操作が行われたか否かを判定する。設定状態を「枠設定」にする操作が行われた場合にはＳ１００４に遷移し、行われていない場合にはＳ１００５に遷移する。
Ｓ１００４では、システム制御部５０は、デジタルカメラ１００の設定状態を「枠設定」に変更する。Ｓ１００４の処理が終了すると、処理工程はＳ３００１に遷移する。
【００６２】
Ｓ１００５では、システム制御部５０は、操作部７０に対して拡大倍率の変更する操作（拡大操作）が行われたか否かを判定する。拡大操作が行われた場合にはＳ１００６に遷移し、拡大操作が行われていない場合にはＳ１００７に遷移する。
Ｓ１００６では、システム制御部５０は、表示部２８に表示するライブビュー画像の拡大倍率を変更するよう制御する。この処理工程を開始する時点では拡大状態が「全画面」であるので、システム制御部５０は拡大状態を「拡大×５」に変更する。なお、処理工程はＳ２００１に遷移する。
【００６３】
Ｓ１００７では、システム制御部５０は、後述にて説明する処理１を実行する。
Ｓ１００８では、第１シャッタースイッチ６２に対する操作（ＳＷ１を発生させる操作）などである、被写体にピント（焦点）を合わせるための合焦操作が行われたか否かを、システム制御部５０は判定する。合焦操作が行われた場合は、Ｓ１００９に遷移し、合焦操作が行われていない場合にはＳ１００３に遷移する。つまり、本フローチャートは撮影が行われるまでのフローであるため、撮影が行われるまでは本フローチャートにおける処理を繰り返す。なお、合焦操作を行わないＭＦ（マニュアルフォーカス）設定時や合焦操作を伴わない撮影時には、Ｓ１００８およびＳ１００９の処理は行われずに、Ｓ１００７からＳ１０１０に遷移する。
【００６４】
Ｓ１００９では、システム制御部５０は、ピント（焦点）を合わせる処理である合焦処理を行い、ライブビュー画像の被写体に対するピントを調整する。
Ｓ１０１０では、システム制御部５０は、第２シャッタースイッチ６４に対する操作（ＳＷ２を発生させる操作）により撮影操作が行われたか否かを判定する。撮影操作が行われた場合にはＳ１０１１に遷移し、撮影操作が行われていない場合にはＳ１００３に遷移する。ただし、撮影操作が行われずにシャッターボタン６１を半押し（第１シャッタースイッチ６２を押下）にしている間は、システム制御部５０は、Ｓ１０１０における判定を繰り返し行う。このシャッターボタン６１を半押しの間での当該判定の繰り返しは、後述するＳ２０１１、Ｓ３０１０、Ｓ４０１３においても同様である。
Ｓ１０１１では、システム制御部５０は、撮像部２２などを制御して撮影処理を行う。
【００６５】
（状態Ｂまたは状態Ｃにおける処理について）
Ｓ２００１では、システム制御部５０は、操作部７０に対して設定状態を「枠設定」にする操作が行われたか否かを判定する。設定状態を「枠設定」にする操作が行われた場合にはＳ２００２に遷移し、「枠設定」にする操作が行われていない場合にはＳ２００３に遷移する。
Ｓ２００２では、システム制御部５０は、「枠設定」にする操作が行われても何も処理をしない。つまり、システム制御部５０は、「枠設定」にする操作を無効とする制御を行う。これは、本実施形態では状態Ｂまたは状態Ｃから、状態Ｅまたは状態Ｆへのユーザ操作による遷移を許していないためである。このように、ライブビュー画像の拡大表示をしている際に、ユーザ操作に応じて設定状態が変化しないようにすることで、拡大表示中のユーザの誤操作を抑制することができる。
【００６６】
Ｓ２００３では、システム制御部５０は、操作部７０に対して、ライブビュー画像の拡大倍率を変更する操作（拡大操作）が行われたか否かを判定する。拡大操作が行われた場合にはＳ２００４に遷移し、拡大操作が行われていない場合にはＳ２００６に遷移する。
Ｓ２００４では、システム制御部５０は、表示部２８に表示するライブビュー画像の拡大倍率を変更するよう制御する。この処理工程を開始する時点では拡大状態が「拡大×５」または「拡大×１０」であるので、システム制御部５０は、拡大状態が「拡大×５」である場合には「拡大×１０」に変更し、拡大状態が「拡大×１０」である場合には「全画面」に変更する。
【００６７】
Ｓ２００５では、システム制御部５０は、Ｓ２００４の処理後にライブビュー画像の拡大状態が「全画面」に変更されたか否かを判定する。「全画面」に変更された場合にはＳ１００３に遷移し、変更されていない場合にはＳ２００６に遷移する。
【００６８】
Ｓ２００６では、システム制御部５０は、後述にて説明する処理２を実行する。
Ｓ２００７では、システム制御部５０は、第１シャッタースイッチ６２に対する操作などである合焦操作が行われたか否かを判定する。合焦操作が行われた場合は、Ｓ２００８に遷移し、合焦操作が行われていない場合にはＳ２００１に遷移する。なお、合焦操作を行わないＭＦ設定時や合焦操作を伴わない撮影時には、Ｓ２００７〜Ｓ２０１０の処理は行われずに、Ｓ２００６からＳ２０１１に遷移する。
【００６９】
Ｓ２００８では、システム制御部５０は、合焦処理を行うときにライブビュー画像を表示部２８に全画面で表示する必要があるか否かを判定する。つまり、この判定では、デジタルカメラ１００の機種によっては、ライブビュー画像を表示部２８に拡大表示している状態では合焦処理ができないことを考慮している。全画面表示する必要がある場合にはＳ２００９に遷移し、全画面表示する必要がない場合にはＳ２０１０に遷移する。
Ｓ２００９では、システム制御部５０は、拡大状態を「全画面」にして、表示部２８におけるライブビュー画像を全画面で表示するよう制御する。Ｓ２００９の処理が終了すると、処理工程はＳ１００９に遷移する。
Ｓ２０１０では、システム制御部５０は、合焦処理を行い、ライブビュー画像の被写体に対するピントを調整する。
【００７０】
Ｓ２０１１では、システム制御部５０は、第２シャッタースイッチ６４に対する操作である撮影操作が行われたか否かを判定する。撮影操作が行われた場合は、Ｓ１０１１に遷移し、行われていない場合にはＳ２００１に遷移する。
Ｓ２０１２では、システム制御部５０は、撮影可能なデジタルカメラ１００の状態にする。Ｓ２０１２の処理が終了すると、処理工程はＳ１０１１に遷移する。なお、撮影可能なデジタルカメラ１００の状態は任意の状態でよいが、本実施形態では、設定状態が「通常」であり、拡大状態が「全画面」の状態Ａである初期状態とする。つまり、この処理は、デジタルカメラ１００の機種によっては、ライブビュー画像を表示部２８に拡大表示している場合や設定状態が「枠設定」である場合に、撮影処理ができないことを考慮して実行されている。
【００７１】
（状態Ｄにおける処理について）
Ｓ３００１では、システム制御部５０は、操作部７０に対して設定状態を「通常」にする操作が行われたか否かを判定する。設定状態を「通常」にする操作が行われた場合には、Ｓ３００２に遷移し、「通常」にする操作が行われていない場合には、Ｓ３００３に遷移する。
Ｓ３００２では、システム制御部５０は、デジタルカメラ１００の設定状態を「通常」に変更する。Ｓ３００２の処理が終了すると、処理工程はＳ１００３に遷移する。
【００７２】
Ｓ３００３では、システム制御部５０は、操作部７０に対して拡大操作が行われたか否かを判定する。拡大操作が行われた場合にはＳ３００４に遷移し、拡大操作が行われていない場合にはＳ３００５に遷移する。
Ｓ３００４では、システム制御部５０は、表示部２８に表示するライブビュー画像の拡大倍率を変更するよう制御する。この処理工程を開始する時点では拡大状態は「全画面」であるので、システム制御部５０は拡大状態を「拡大×５」に変更する。Ｓ３００４の処理が終了すると、処理工程はＳ４００１に遷移する。
【００７３】
Ｓ３００５では、システム制御部５０は、後述にて説明する処理３を実行する。
Ｓ３００６では、システム制御部５０は、第１シャッタースイッチ６２に対する操作などである合焦操作が行われたか否かを判定する。合焦操作が行われた場合は、Ｓ３００７に遷移し、合焦操作が行われていない場合はＳ３００１に遷移する。
【００７４】
Ｓ３００７では、システム制御部５０は、合焦処理を行うときにカメラの設定状態を「枠設定」から「通常」にする必要があるか否かを判定する。「枠設定」から「通常」にする必要がある場合にはＳ３００８に遷移し、「枠設定」から「通常」にする必要がない場合にはＳ３００９に遷移する。つまり、この判定では、デジタルカメラ１００の機種によっては、設定状態が「枠設定」である場合に合焦処理ができないことを考慮している。
Ｓ３００８では、システム制御部５０は、デジタルカメラ１００の設定状態を「通常」にする。Ｓ３００８の処理が終了すると、処理工程はＳ１００９に遷移する。
Ｓ３００９では、システム制御部５０は、合焦処理を行う。
【００７５】
Ｓ３０１０では、システム制御部５０は、第２シャッタースイッチ６４に対する操作である撮影操作が行われたか否かを判定する。撮影操作が行われた場合は、Ｓ３０１１に遷移し、撮影操作が行われていない場合はＳ３００１に遷移する。
Ｓ３０１１では、システム制御部５０は、撮影可能なデジタルカメラ１００の状態にする。Ｓ２０１１の処理が終了すると、処理工程はＳ１０１１に遷移する。
【００７６】
（状態Ｅまたは状態Ｆにおける処理について）
Ｓ４００１では、システム制御部５０は、操作部７０に対して設定状態を「通常」にする操作が行われたか否かを判定する。「通常」にする操作が行われた場合にはＳ４００２に遷移し、「通常」にする操作が行われていない場合にはＳ４００３に遷移する。
Ｓ４００２では、システム制御部５０は、設定状態を「通常」にする操作が行われても何も処理をしない。つまり、システム制御部５０は、設定状態を「通常」にする操作を無効とする制御を行う。これは、本実施形態では状態Ｅまたは状態Ｆから、状態Ｂまたは状態Ｃへのユーザ操作による遷移を許していないためである。
【００７７】
Ｓ４００３では、システム制御部５０は、操作部７０に対して拡大操作が行われたか否かを判定する。拡大操作が行われた場合にはＳ４００４に遷移し、拡大操作が行われていない場合にはＳ４００６に遷移する。
Ｓ４００４では、システム制御部５０は、表示部２８に表示するライブビュー画像の拡大倍率を変更するよう制御する。この処理工程を開始する時点では拡大状態が「拡大×５」または「拡大×１０」であるので、システム制御部５０は、拡大状態が「拡大×５」である場合には「拡大×１０」に変更し、拡大状態が「拡大×１０」である場合には「全画面」に変更する。
【００７８】
Ｓ４００５では、システム制御部５０は、Ｓ４００４の処理後にライブビュー画像の拡大状態が「全画面」に変更されたか否かを判定する。「全画面」に変更された場合にはＳ３００１に遷移し、「全画面」に変更されていない場合にはＳ４００６に遷移する。
【００７９】
Ｓ４００６では、システム制御部５０は、後述にて説明する処理４を実行する。
Ｓ４００７では、システム制御部５０は、第１シャッタースイッチ６２に対する操作などである合焦操作が行われたか否かを判定する。合焦操作が行われた場合は、Ｓ４００８に遷移し、行われていない場合はＳ４００１に遷移する。
【００８０】
Ｓ４００８では、システム制御部５０は、合焦処理を行うときにライブビュー画像を表示部２８に全画面で表示する必要があるか否かを判定する。全画面表示する必要がある場合にはＳ４００９に遷移し、全画面表示する必要がない場合にはＳ４０１０に遷移する。
Ｓ４００９では、システム制御部５０は、拡大状態を「全画面」にして、表示部２８に
ライブビュー画像を全画面で表示するように制御する。また、処理工程はＳ３００７に遷移する。
【００８１】
Ｓ４０１０では、システム制御部５０は、合焦処理を行うときに設定状態を「枠設定」から「通常」に変更する必要があるか否かを判定する。変更する必要がある場合にはＳ４０１１に遷移し、必要がない場合にはＳ４０１２に遷移する。
Ｓ４０１１では、システム制御部５０は、デジタルカメラ１００の設定状態を「通常」にする。また、Ｓ４０１１が終了すると、処理工程はＳ２０１０に遷移する。つまり、ここでは、合焦処理を行うために例外的に、状態Ｅまたは状態Ｆから、状態Ｂまたは状態Ｃへの遷移を許容する。なお、Ｓ４０１１において、システム制御部５０は、さらに拡大状態を「全画面」に変更し、処理工程はＳ１００９に遷移してもよい。
Ｓ４０１２では、システム制御部５０は、合焦処理を行う。
【００８２】
Ｓ４０１３では、システム制御部５０は、第２シャッタースイッチ６４に対する操作である撮影操作が行われたか否かを判定する。撮影操作が行われた場合は、Ｓ４０１４に遷移し、行われていない場合はＳ４００１に遷移する。
Ｓ４０１４では、システム制御部５０は、撮影可能なデジタルカメラ１００の状態にする。Ｓ４０１４の処理が終了すると、処理工程はＳ１０１１に遷移する。
【００８３】
［状態Ａにおける処理１について］
以下、上述した処理１の詳細についての図７Ａのフローチャートを用いて説明する。
Ｓ１１０１では、システム制御部５０は、メイン電子ダイヤル７１やサブ電子ダイヤル７３に対するダイヤル操作が行われたか否かを判定する。メイン電子ダイヤル７１やサブ電子ダイヤル７３に対するダイヤル操作が行われた場合にはＳ１１０２に遷移し、行われていない場合にはＳ１１０３に遷移する。
【００８４】
Ｓ１１０２では、システム制御部５０は、デジタルカメラ１００のカメラ設定の露出を変更する。例えば、システム制御部５０は、メイン電子ダイヤル７１に対するダイヤル操作に応じてＴｖ値を変更（設定）し、サブ電子ダイヤル７３に対するダイヤル操作に応じてＡｖ値を変更する。これらは、例えば、デジタルカメラ１００におけるモード（状態）に応じて、Ａｖ値やＴｖ値などの設定できる項目が異なるようにするとよい。
【００８５】
Ｓ１１０３では、システム制御部５０は、４方向キー７４に対する操作が行われたか否かを判定する。４方向キー７４に対する操作が行われた場合にはＳ１１０４に遷移し、行われていない場合にはＳ１１０５に遷移する。
【００８６】
Ｓ１１０４では、システム制御部５０は、４方向キー７４のそれぞれの方向に予め割り当てられた処理を実行する。例えば、システム制御部５０は、左ボタンが押下された場合には、Ｔｖ値を減少させ、右ボタンが押下された場合には、Ｔｖ値を増加させる。これらはボタンカスタマイズによってユーザが任意に各ボタンに対して設定した処理を、システム制御部５０が行う。
【００８７】
Ｓ１１０５では、システム制御部５０は、タッチパネル７０ａへのタッチ操作が行われたか否かを判定する。タッチ操作が行われた場合にはＳ１１０６に遷移し、行われていない場合にはＳ１１０７に遷移する。
【００８８】
Ｓ１１０６では、システム制御部５０は、タッチ操作に応じてＡＦ枠の枠位置を移動する。なお、本実施形態では、このＡＦ枠の移動は、タッチ位置の移動量に応じて移動するものとする。
【００８９】
Ｓ１１０７では、システム制御部５０は、その他の操作が行われたか否かを判定する。ここで、その他の操作とは、Ｓ１１０１、Ｓ１１０３、Ｓ１１０５においてユーザからされる操作ではない、操作部７０への操作である。その他の操作が行われた場合にはＳ１１０８に遷移し、その他の操作が行われていない場合は処理１を終了する。
【００９０】
Ｓ１１０８では、システム制御部５０は、それぞれの操作部に割り当てられた処理を実行する。
【００９１】
［状態Ｂまたは状態Ｃにおける処理２について］
上述した処理２は、図７Ｂのフローチャートが示すように行われる。なお、処理２におけるＳ２１０１〜Ｓ２１０８のそれぞれは、処理１におけるＳ１１０１〜Ｓ１１０８のそれぞれの処理の「ＡＦ枠」を「拡大枠」と読み替えた場合と同様の処理であるため処理の詳細な説明は省略する。つまり、システム制御部５０は、表示部２８が表示するライブビュー画像を全画面表示に切り替えずとも、露出の設定を行うことができる。
【００９２】
［状態Ｄにおける処理３について］
以下、上述した処理３の詳細についての図７Ｃのフローチャートを用いて説明する。なお、Ｓ３１０５〜Ｓ３１０８のそれぞれの処理については、処理１におけるＳ１１０５〜Ｓ１１０８のそれぞれの処理と同様であるため詳細な説明は省略する。
【００９３】
Ｓ３１０１では、システム制御部５０は、メイン電子ダイヤル７１やサブ電子ダイヤル７３に対するダイヤル操作が行われたか否かを判定する。メイン電子ダイヤル７１やサブ電子ダイヤル７３に対するダイヤル操作が行われた場合にはＳ３１０２に遷移し、行われていない場合にはＳ３１０３に遷移する。
【００９４】
Ｓ３１０２では、システム制御部５０は、ダイヤル操作の操作量（回転量）に応じて、ＡＦ枠の枠位置を移動する。
【００９５】
Ｓ３１０３では、システム制御部５０は、４方向キー７４に対する操作が行われたか否かを判定する。４方向キー７４に対する操作が行われた場合にはＳ３１０４に遷移し、行われていない場合にはＳ３１０５に遷移する。
【００９６】
Ｓ３１０４では、システム制御部５０は、４方向キー７４が有する４つのボタンそれぞれに対する操作に応じて、ＡＦ枠の枠位置を移動する。このとき、４方向キー７４に対する操作に応じたＡＦ枠の枠位置の移動は、Ｓ３１０２におけるダイヤル操作に応じた移動よりも、細かく位置の調整ができる。具体的には、例えば、ダイヤル操作に応じたＡＦ枠の移動量の最小単位よりも、４方向キー７４に対する操作に応じたＡＦ枠の移動量の最小単位が小さく設定されている。
【００９７】
［状態Ｅまたは状態Ｆにおける処理４について］
上述した処理４は、図７Ｄのフローチャートが示すように行われる。なお、処理４におけるＳ４１０１〜Ｓ４１０８のそれぞれは、処理３におけるＳ３１０１〜Ｓ３１０８のそれぞれの処理を「ＡＦ枠」を「拡大枠」と読み替えた場合と同様の処理であるため処理の詳細な説明は省略する。つまり、システム制御部５０は、表示部２８が表示するライブビュー画像を全画面表示に切り替えずとも、拡大枠（ＡＦ枠）の移動（設定）を行うことができる。
【００９８】
［効果］
以上、本実施形態によれば、表示部にライブビュー画像を拡大表示している場合においても、デジタルカメラの設定状態に応じた設定が可能である。従って、ユーザは、拡大表
示を解除してから、露出やＡＦ枠の設定をする必要がないため、デジタルカメラの撮影のための設定を容易に操作性よく行うことができる。また、表示部にライブビュー画像の拡大をする状態に遷移する前に設定可能であった設定項目を、ライブビュー画像の拡大表示後も引き続き、拡大表示の状態のまま設定ができる。具体的には、表示部にライブビュー画像を拡大表示している場合においても、所定の状態であればダイヤル操作によって１ステップで露出の設定が可能であり、他の状態であれば同じダイヤル操作によって１ステップでＡＦ枠の移動が可能である。このため、デジタルカメラが有する操作部材が少ない場合においても、操作性を向上させることができる。
【００９９】
（変形例１）
実施形態１では、状態Ｂまたは状態Ｃと、状態Ｅまたは状態Ｆとの間の遷移を許容していなかったが、変形例１ではこのような遷移を許容する場合について説明する。
【０１００】
具体的には、図８が示すように、図３Ｂの状態遷移に加えて以下のユーザ操作に応じた遷移を許容する。
状態Ｂにおいて、操作部７０に対して、設定状態を「枠設定」にする操作が行われると状態Ｅに遷移する。
状態Ｅにおいて、操作部７０に対して、設定状態を「通常」にする操作が行われると状態Ｂに遷移する。
状態Ｃにおいて、操作部７０に対して、設定状態を「枠設定」にする操作が行われると状態Ｆに遷移する。
状態Ｆにおいて、操作部７０に対して、設定状態を「通常」にする操作が行われると状態Ｃに遷移する。
【０１０１】
従って、図６Ａおよび図６Ｂが示すフローチャートの処理のうちＳ２００２とＳ４００２の処理が、実施形態１と変わるため、この２つの処理についてのみ説明する。
Ｓ２００２では、システム制御部５０は、設定状態を「枠設定状態」に変更する。そして、Ｓ２００２における処理が終了すると、処理工程はＳ４００１に遷移する。
Ｓ４００２では、システム制御部５０は、設定状態を「枠設定状態」に変更する。そして、Ｓ４００２における処理が終了すると、処理工程はＳ２００１に遷移する。
【０１０２】
（効果）
このように、状態Ｂまたは状態Ｃから、状態Ｅまたは状態Ｆへの遷移を許容することで、状態を一度状態Ａや状態Ｄに変更せずとも、設定状態を変更することができる。したがって、ユーザは、ライブビュー画像の拡大表示中においても、より少ない手順でデジタルカメラ１００の設定をすることができる。
【０１０３】
なお、上記の各実施形態や各変形例の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ＡＳＩＣ、ＦＰＧＡ、ＤＳＰなどのハードウェアによって実現されてもよいし、そうでなくてもよい。例えば、装置が、プロセッサーと、制御プログラムが格納されたメモリとを有していてもよい。そして、装置が有する少なくとも一部の機能部の機能が、プロセッサーがメモリから制御プログラムを読み出して実行することにより実現されてもよい。
【０１０４】
（その他の実施形態）
本発明は、上記の実施形態の１以上の機能を実現するプログラムを、ネットワーク又は記憶媒体を介してシステム又は装置に供給し、そのシステム又は装置のコンピュータにお
ける１つ以上のプロセッサーがプログラムを読出し実行する処理でも実現可能である。また、１以上の機能を実現する回路（例えば、ＡＳＩＣ）によっても実現可能である。
【符号の説明】
【０１０５】
１００：デジタルカメラ、２２：撮像部、２８：表示部、５０：システム制御部
【図１】
2020014053.tif 000003
【図２】
2020014053.tif 000004
【図３】
2020014053.tif 000005
【図４】
2020014053.tif 000006
【図５】
2020014053.tif 000007
【図６Ａ】
2020014053.tif 000008
【図６Ｂ】
2020014053.tif 000009
【図７】
2020014053.tif 000010
【図８】
2020014053.tif 000011